(57)【要約】【解決手段】  内外２枚の前立３，４を備えており、両前立３，４の端縁の一部を前身１側に縫着しないで前開き部3b，4bとする。両前立３，４のうち、少なくとも一方の前立の端縁部がメーキャップ編成により形成されている。【効果】  メーキャップ編成されている前立のメーキャップ編成部ｍには、従来のような縫い糸（ミシン糸）がなく、ゴツゴツしたり、嵩張ることがない。したがって、良好な着用感が得られる。【選択図】  図１
2005232613.tif 000002
【特許請求の範囲】
【請求項１】
前立を備えており、その端縁の一部を前身側に縫着しないで前開き部とした衣類において、前記端縁部がメーキャップ編成により形成されていることを特徴とする前立付き衣類。
【発明の詳細な説明】
【技術分野】
【０００１】
本発明は、男性用のパンツ、トランクス、ズボン下、タイツなど、前立を備えており、その端縁の一部を前身側に縫着しないで前開き部とした衣類に関するものである。
【背景技術】
【０００２】
男性用のパンツ、トランクス、ズボン下、タイツなど、前立を備えており、その端縁の一部を前身側に縫着しないで前開き部とした衣類において、前立の端縁部は通常縫製により形成されている（例えば、特許文献１の図１参照）。
【特許文献１】登録実用新案第３０５３２０２号公報
【発明の開示】
【発明が解決しようとする課題】
【０００３】
このように、前立の端縁部が縫製されている場合には、前立の端縁部に沿って縫い糸（ミシン糸）が必ず走ることになるため、その部分がゴツゴツし、また、嵩張る感があり、良好な着用感が得られないという欠点がある。
【課題を解決するための手段】
【０００４】
本発明は、この欠点を解消することを目的とするもので、前立の端縁部がメーキャップ編成により形成されていることを特徴とするものである。図１、図３において、図面符号ｍがメーキャップ編成部であり、前立の端縁部がこの手法により形成されていると、その部分には従来のような縫い糸（ミシン糸）がなく、ゴツゴツしたり、嵩張ることがない。したがって、良好な着用感が得られる。
【０００５】
ここに、メーキャップ編成とは、図４において図面符号Ｍで示すように、ダブル・ウェルトとシングル・ウェルトとの境目において、第１のコースＬ１で１針置きにループを作り、第２コースＬ２では全針で編成、第３コースＬ３で再び１針置きの針配列とし、ループを作っていない針を上ジャックＪでとらえ、この状態で所要コース編成を続けてウェルト長を作る編成のことである。
この編成方法により編成された前立の端縁部は２枚重ねとなっているが、その部分には従来のような縫い糸（ミシン糸）がなく、ゴツゴツしたり、嵩張ることがない。
【発明の効果】
【０００６】
請求項１記載の発明によれば、前立の端縁部には従来のような縫い糸（ミシン糸）がなく、ゴツゴツしたり、嵩張ることがないため、良好な着用感が得られるという効果がある。
【発明を実施するための最良の形態】
【０００７】
本発明の好ましい実施の形態について、図面を参照しながら詳細に説明する。
図１に、本発明による前立付き衣類の一例であるパンツを拡大して示す。このパンツＰの前身１の中央部分には内、外２枚の前立３，４が重なり合うように配置されている。２枚の前立３，４は平面逆截頭円錐形であり、左右両端縁部のうち一方の端縁部はいずれもメーキャップ編成されている。
【０００８】
外側に位置する前立４については、図１の左側に現れる端縁部がメーキャップ編成部ｍであり、それとは反対側の右端縁が前身１の右側の端縁部分に上から下まで縫い付けられている。外側に位置する前立４の右端縁部分と前身１の右側の端縁部分との縫着部（ミシン縫い）を、図面符号4aで示す。
【０００９】
また、内側に位置する前立３については、図１の右側に現れる端縁部がメーキャップ編成部ｍであり、それとは反対側の左端縁が前身１の左側の端縁部分に縫い付けられている。内側に位置する前立３の左端縁と前身１の左側の端縁部分との縫着部（ミシン縫い）を、図面符号3aで示す。
【００１０】
そして、外側に位置する前立４の左端縁であるメーキャップ編成部ｍの上端部分と下端部分とが、前記縫着部3aの表側において所定長さだけ縫い付けられており、その間が前開き部4bとなっている。また、内側に位置する前立３の右端縁であるメーキャップ編成部ｍの上端部分と下端部分とが、前記縫着部4aの裏側において縫い付けられており、その間が前開き部3bとなっている。
【００１１】
メーキャップ編成とは、図４において図面符号Ｍで示すように、ダブル・ウェルトとシングル・ウェルトとの境目において、第１のコースＬ１で１針置きにループを作り、第２コースＬ２では全針で編成、第３コースＬ３で再び１針置きの針配列とし、ループを作っていない針を上ジャックＪでとらえ、この状態で所要コース編成を続けてウェルト長を作る編成のことである。この編成方法により編成された前立３、４の端縁部は２枚重ねとなっているが、その部分には従来のような縫い糸（ミシン糸）がなく、ゴツゴツしたり、嵩張ることがない。なお、図４において、図面符号Ｎは針（ニードル）、図面符号Ｓはシンカーである。
【００１２】
ここに示す衣類にあっては、円筒状に編成されている編地の前側と後側である前身１と後身２及び内、外２枚の前立３、４にまたがって、１枚の股下片５が別途縫着されている。そして、内、外２枚の前立３，４及び股下片５も、編まれた生地からなっている。特に、前身１と後身２とを、例えば、靴下を編む場合と同様に、連続する円筒状に編成された編地そのものを用いる場合には、図１における裾部６の端縁部を、前記前立３，４の場合と同様にメーキャップ編成により形成することができる。裾部６の端縁部をメーキャップ編成により形成した場合には、前立３及び前立４の端縁部の場合と同様に、その部分には従来のような縫い糸（ミシン糸）がなく、ゴツゴツしたり、嵩張ることがない。
【００１３】
連続する円筒状に編成された編地そのものを前身１と後身２とに用いる場合には、図２(a)に示すように、円筒状の編地７のうち前身１側を上から下まで縦方向に裁断するとともに、後身２側の下端縁から所定長さだけ１つの切り込みを入れ、この編地７と、編地からなる平面逆截頭円錐形の２枚の前立３，４と、編地からなる方形状の股下片５とから、極めて容易にパンツなどの前立付き衣類を縫製することができる。
【００１４】
図２(a)においては、円筒状の編地７のうち前身１側を上から下まで縦方向に裁断した場合の端縁部を、便宜上Ａ０からＡ２までの直線及びＡ０’からＡ２’までの直線で表わす。また、後身２側の切り込みについても、便宜上Ｂ０からＢ１までの直線及びＢ０’からＢ１’までの直線で表わす。なお、編地７の下端縁部分におけるメーキャップ編成部を、上述した場合と同じ図面符号ｍで示す。
【００１５】
そして、外側の前立４の端縁Ｃ１からＣ２までと編地７の端縁のうちＡ１からＡ２までを縫い合わせ、また、内側の前立３の端縁Ｄ１’からＤ２’までと編地７の端縁のうちＡ１’からＡ２’までを縫い合わせる。しかる後、外側の前立４のメーキャップ編成部ｍにおける端縁Ｃ１’からＣ２’までを、編地７の端縁のうちＡ１’からＡ２’間の外側すなわち表側に置いて、その上端部分と下端部分とを上述したように所定長さだけ縫い付ける。また、内側の前立３のメーキャップ編成部ｍにおける端縁Ｄ１からＤ２までを、編地７の端縁のうちＡ１からＡ２間の内側すなわち裏側に置いて、その上端部分と下端部分とを上述したように縫い付ける。
【００１６】
一方、方形状の股下片５については、上側の端縁のうちＥ０からＥ１までを編地７の端縁のうちＡ０からＡ１に縫い合わせ、次いで、編地７の点Ａ1からＡ1'間において、股下片５の上側の端縁のうちＥ１からＥ１’までと内外２枚重ねの前立３，４のそれぞれの下端縁Ｄ１からＤ１’及びＣ１からＣ１’を３枚重ねで縫い合わせ、さらに、股下片５の上側の端縁のうちＥ１’からＥ０’までを編地７の端縁のうちＡ１’からＡ０’に縫い合わせる。
【００１７】
また、股下片５の下側の端縁のうちｅ０からｅ１までを編地７の切り込みのＢ０からＢ１に、ｅ０’からｅ１までを編地７の切り込みのＢ０’からＢ１に縫い合わせる。
かくして、図３に示すように、半製品である衣類ｐを縫製することができ、その上端縁部分である開口部に例えばウエストバンド８を縫い付ければ、図１に示すような製品Ｐが出来上がる。
【００１８】
なお、ここに示す場合には、図２、図３に示すように、前立３，４の編目の方向Ｆx及び股下片５の編目の方向Ｆxが、他の部分における編目の方向Ｆyと直交する横方向になっている。編地の場合における伸びは、本来横方向の方が良好であり、それに比べて縦方向は劣っているのが一般的であるが、伸縮性のある糸を用いることにより、縦方向における伸びを増大させることができる。
【産業上の利用可能性】
【００１９】
本発明は、男性用のパンツ、トランクス、ズボン下、タイツなど、前立を備えており、その端縁の一部を前身側に縫着しないで前開き部とした衣類全般に適用可能である。
【図面の簡単な説明】
【００２０】
【図１】本発明による前立付き衣類の一例であるパンツの拡大図である。
【図２】図１に示すパンツの構成素材を表わし、(a)は円筒状の編地を、(b)は表裏２枚の前立を、(c)は股下片をそれぞれ示す。
【図３】図２に示す各構成素材を縫い合わせた状態を示す半製品の斜視図である。
【図４】メーキャップ編成を説明するための斜視図である。
【符号の説明】
【００２１】
１…前身、２…後身、３，４…前立、3a，4a…縫着部、3b，4b…前開き部、５…股下片、７…円筒状の編地、Ｍ…メーキャップ編成、ｍ…メーキャップ編成部、Ｐ…パンツ。
【図１】
2005232613.tif 000003
【図２】
2005232613.tif 000004
【図３】
2005232613.tif 000005
【図４】
2005232613.tif 000006